(57)【要約】【課題】電線やケーブルの被覆を剥ぎ取る作業を不要とし、入線する電線やケーブルを容易に装着でき、かつ、通線治具と前記電線やケーブルを簡単かつ確実に接続できる配管内挿入用電線等と通線治具の接続構造。【解決手段】電線又はケーブル１を挿入する、一端に開口部を有する網状の細長い袋のケーブルグリップ６を設け、当該ケーブルグリップ６の閉口端に横向き円柱状の第１の接続体１０を設け、当該第１の接続体１０の一端に外周にネジを切ったネジ棒１１を突設し、通線治具２の一端に、前記ネジ棒１１を螺着可能なネジ穴１３を端部に有する、横向き円柱状の第２の接続体１２を設け、前記第１の接続体のネジ棒１１を第２の接続体１２のネジ穴１３に挿入螺着することにより、前記ケーブルグリップ６、第１の接続体１０、第２の接続体１２及び通線治具２が略直線状に並ぶように接続した。【選択図】      図１
2017034788.tif 000002
【特許請求の範囲】
【請求項１】
電線等と通線治具との接続において、
電線又はケーブルを挿入する、一端に開口部を有する網状の細長い袋のケーブルクリップを設け、
当該ケーブルクリップの閉口端に横向き円柱状の第１の接続体を設け、当該第１の接続体の一端にネジ棒を突設し、
前記通線治具の一端に、前記ネジ棒を螺着可能なネジ穴を端部に有する、横向き円柱状の第２の接続体を設け、
前記第１の接続体のネジ棒を第２の接続体のネジ穴に挿入螺着することにより、前記ケーブルグリップ、第１の接続体、第２の接続体及び通線治具が略直線状に並ぶように接続して構成したことを特徴とする、配管内挿入用電線等と通線治具の接続構造。
【請求項２】
前記第１の接続体が軸方向の前部と後部に分かれ、これらの前部又は後部の一方に撚り戻し手段を設けたことを特徴とする、請求項１に記載の配管内挿入用電線等と通線治具の接続構造。
【請求項３】
前記第２の接続体の両側面を貫通した貫通孔を有する構成としたことを特徴とする、請求項１又は２に記載の配管内挿入用電線等と通線治具の接続構造。
【請求項４】
前記第２の接続体のネジ穴が前記貫通孔と連通していることを特徴とする、請求項１〜３のいずれかに記載の配管内挿入用電線等と通線治具の接続構造。
【発明の詳細な説明】
【技術分野】
【０００１】
この発明は、配管内に電線又はケーブルを入線する場合の、当該電線又はケーブル等と、予備線を接続した通線治具の接続構造に関するものである。
【背景技術】
【０００２】
従来、配管内に電線やケーブルを入線する場合は、通線治具を用いて予備線（呼び線）を配管内に通し、配管内を通した当該通線治具の先端部に電線又はケーブルの先端を接続し、前記予備線を逆方向に引っ張って前記電線又はケーブルを配管内に入線している。
【０００３】
その際、図４及び図５に示すように、電線又はケーブル１の被覆１ａを剥ぎ取り、通線治具２の延線スチール３の穴４に電線又はケーブル１の裸線１ｂを通して巻き付け、場合によっては、その上からテープ５を巻き付けて接続し、入線する。これは特許文献１も同じ方法で電線又はケーブルと通線治具の接続を行っている。
【０００４】
また、図示は省略したが、多数本の電線の束を配管内に入線する場合は、数本の電線の被覆を剥ぎ取り、これらの裸線を前記延線スチール３の穴４に通し、他の電線は、裸線を穴４に通した電線と束ねてバインド線やテープを巻き付けて固定し、通線治具２に接続している。
【０００５】
また、図６に示すように、前記電線やケーブルの先端をメッシュ袋状のケーブルグリップ６に入れ、当該ケーブルグリップ６の先端の環状フック７と前記通線治具２の延線スチール３の穴４とをIV線（ビニル絶縁電線）８で接続して、入線する方法を採っている場合もある。
【先行技術文献】
【特許文献】
【０００６】
【特許文献１】特開２００２−４４８２１号公報
【発明の開示】
【発明が解決しようとする課題】
【０００７】
図４及び図５の場合は、電線やケーブル１の被覆１ａを電工ナイフで剥ぎ取る際、怪我をする恐れがあり、また、切創防止手袋を装着する場合は手間がかかる。また、電線被覆１ａと銅線（裸線１ｂ）のごみが発生する。また、電線やケーブル１を通線治具２に接続するのに時間がかかり、また、接続が悪いと配管内で外れるおそれがある。
【０００８】
また、図６の場合は、電線やケーブル１は被覆のままケーブルグリップ６に装着でき、その点は手間が省けるが、ケーブルグリップ６と通線治具２の接続にIV線８やバインド線（図示省略）を巻き付ける等の接続作業に手間がかかり、接続が悪いと配管内で外れる恐れがある。
【０００９】
そこで、この発明は、上記の問題点を解決するもので、電線やケーブルの被覆を剥ぎ取る作業を不要とし、入線する電線やケーブルを容易に装着でき、かつ、通線治具と前記電線やケーブルを簡単かつ確実に接続できる配管内挿入用電線等と通線治具の接続構造を提供するものである。
【課題を解決するための手段】
【００１０】
請求項１の発明は、電線等と通線治具との接続において、電線又はケーブルを挿入する、一端に開口部を有する網状の細長い袋のケーブルクリップを設け、当該ケーブルクリップの閉口端に横向き略円柱状の第１の接続体を設け、当該接続体の一端にネジ棒を突設し、通線治具の一端に、前記ネジ棒を螺着可能なネジ穴を端部に有する、横向き略円柱状の第２の接続体を設け、前記第１の接続体のネジ棒を第２の接続体のネジ穴に挿入螺着することにより、前記ケーブルグリップ、第１の接続体、第２の接続体及び通線治具が略直線状に並ぶように接続された構成とした、配管内挿入用電線等と通線治具の接続構造とした。
【００１１】
また、請求項２の発明は、前記第１の接続体が軸方向の前部と後部に分かれ、これらの前部又は後部の一方に撚り戻し手段を設けた、請求項１に記載の配管内挿入用電線等と通線治具の接続構造とした。
【００１２】
また、請求項３発明は、前記第２の接続体の両側面を貫通した貫通孔を有する構成とした、請求項１又は２に記載の配管内挿入用電線等と通線治具の接続構造とした。
【００１３】
また、請求項４の発明は、前記第２の接続体のネジ穴が前記貫通孔と連通している、請求項１〜３のいずれかに記載の配管内挿入用電線等と通線治具の接続構造とした。
【発明の効果】
【００１４】
請求項１の発明によれば、従来の様に、配管内に入線する電線やケーブルの先端の被覆を剥ぎ取る作業を不要とし、一端に開口部を有する網状の細長い袋から成るケーブルクリップに被覆のまま電線やケーブルを挿入し、当該ケーブルグリップを引っ張れば、網状のケーブルクリップが電線やケーブルを強力に把持する。そして、当該ケーブルクリップの一端に設けた第１の接続体のネジ棒を、通線治具の第２の接続体のネジ穴に螺着すれば、電線又はケーブルと通線治具とが接続される。従って、極めて簡単、迅速かつ確実に接続作業をすることができる。
【００１５】
また、請求項２の発明によれば、前記第１の接続体の前部又は後部の一方に撚り戻し手段を設けているため、配管内の管路に沿って予備線を引っ張った場合に、当該予備線が捻じれても、前記撚り戻し手段が回転して、当該捻じれが吸収され、電線又はケーブルが配管内で捩れずにスムーズな引き込みが可能となる。その上、前記撚り戻し手段によって、第１の接続体の回転が第２の接続体に伝わらず、これらの第１の接続体と第２の接続体のネジ接続が緩む恐れがない。
【００１６】
また、請求項３の発明によれば、前記第２の接続体に、両側を貫通する貫通孔を有するため、当該貫通孔に工具等を引っ掛けて、第２の接続体を押さえることができる等、接続作業や接続解除作業の際種々に利用できる。
【００１７】
また、請求項４の発明によれば、第１の接続体のネジ棒を第２の接続体のネジ穴に螺着した際、第２の接続体の貫通孔に第１のネジ棒が露出すれば、ネジ棒は確実にネジ穴に螺着されたことが分かり、確実に接続されたかどうかを判断できる。
【図面の簡単な説明】
【００１８】
【図１】この発明の実施の形態例１の電線又はケーブルと通線治具との接続状態を示す正面図である。
【図２】この発明の実施の形態例１の電線又はケーブルと通線治具との接続前の状態を示す正面図である。
【図３】この発明の実施の形態例２の電線又はケーブルと通線治具との接続状態を示す正面図である。
【図４】従来の電線又はケーブルと通線治具との接続前の状態を示す正面図である。
【図５】従来の電線又はケーブルと通線治具との接続状態を示す正面図である。
【図６】従来の電線又はケーブルと通線治具と他の接続状態を示す正面図である。
【発明を実施するための形態】
【００１９】
この発明の実施の形態例１の電線又はケーブルと通線治具との接続構造を図１及び図２に基づいてついて説明する。
【００２０】
電線又はケーブル１を挿入する、一端に開口部を有する網状の細長い袋から成るケーブルグリップ６が設けられ、当該ケーブルグリップ６の閉口端に横向き略円柱状の第１の接続体１０が設けられている。また、当該接続体１０の一端面に、外周にネジを切ったネジ棒１１が突設されている。
【００２１】
また、通線治具２は、第２の接続体１２に適度の剛性及び可撓性を有するワイヤ１５が接続され、当該ワイヤ１５は第３の接続体１６を介して予備線１７と接続されている。
【００２２】
また、前記第２の接続体１２は横向き略円柱体で構成されている。当該第２の接続体１２の先端面に、前記ネジ棒１１を螺着可能なネジ穴１３が設けられている。さらに、当該第２の接続体１２の両側面には、これらの面を貫通する貫通孔１４が設けられ、前記ネジ穴１３は当該貫通孔１４に連通している。なお、前記第２の接続体１２は、ネジ穴１３を除き、図４〜５の従来例における延線スチール３とほぼ同じ構成のものである。
【００２３】
当該実施の形態例１のケーブルグリップ６の開口部から電線又はケーブル１の先端部を被覆ごとケーブルグリップ６内に挿入し、当該ケーブルグリップ６を外方向に引っ張る。これによりケーブルグリップ６の網状部が長手方向に伸びてその径が収縮し、当該ケーブルグリップ６は電線又はケーブル１の外周を押圧し、強固に電線又はケーブル１を把持する。
【００２４】
その後、当該電線又はケーブル１を把持したケーブルグリップ６の第１の接続体１０のネジ棒１１を、通線治具２の第２の接続体１２のネジ穴１３に挿入、螺着する。この際、図１に示すように第２の接続体１２の貫通孔１４にネジ棒１１の先端が露出し、ネジ棒１１がネジ穴１３に螺着されたことが分かり、第１の接続体１０と第２の接続体１２とが確実に接続されたことが分かる。
【００２５】
この様に、第１の接続体１０と第２の接続体１２の接続は、ネジ止めのため作業は極めて容易かつ迅速にでき、かつ強固に接続され、配管内で電線又はケーブル１と予備線との接続が外れる恐れがない。
【００２６】
次にこの発明の実施の形態例２について、図３を基に説明する。
【００２７】
この実施の形態例２の電線又はケーブル１と通線治具２との接続構造は、前記実施の形態例１とほぼ同じである。従って、相違する点のみを説明する。
【００２８】
実施の形態例２では、第１の接続体１０が、軸方向に２分され、前部１０ａと後部１０ｂとから成る。そして、前部１０ａがスイベルとなっており、前記ケーブルグリップ６の端部に環状フック１８が設けられ、当該環状フック１８に前記前部１０ａの環状フック１０ｃが掛けられている。
【００２９】
従って、当該第１の接続体１０の前部１０ａが撚り戻し機能を有している。これにより、予備線１７を引っ張って電線又はケーブル１を配管（図示省略）内に通す場合、配管内で予備線１７が撚れても、前部１０ａにより撚り戻しが行われ、電線又はケーブル１が撚れたりせず、配管内をスムーズに通すことができる。また、第１の接続体１０のネジ棒１１が第２の接続体のネジ穴１３から緩んで抜けるおそれがない。
【００３０】
なお、前記前部１０ａはスイベルであるが、スイベルに限らず、サルカン等の撚り戻し機能を有する撚り戻し手段であれば、構造、形状は問わない。また、当該より撚り戻し手段の位置は、上記実施の形態例２では、前部１ａそのものを撚り戻し手段としているが、前部１０ａとは別に、その前部又は後部に設けてもよい。
【００３１】
さらに、通線治具２の構成も前記実施の形態例１又は２の構成に限るものではない。また、前記実施の形態例１又は２においては、配管に入線する対象を電線又はケーブルとしたが、これらに限るものではなく、ワイヤ、ロープなども適用できる。
【符号の説明】
【００３２】
１      電線又はケーブル        １ａ    被覆
１ｂ    裸線                    ２      通線治具
３      延線スチール            ４       穴
５      テープ                  ６      ケーブルグリップ
７      環状フック              ８      IV線
１０      第１の接続体          １０ａ    前部
１０ｂ    後部                  １０ｃ    環状フック
１１      ネジ棒                １２      第２の接続体
１３      ネジ穴                １４      孔
１５      ワイヤ                １６      第３の接続体
１７      予備線                １８      環状フック
【図１】
2017034788.tif 000003
【図２】
2017034788.tif 000004
【図３】
2017034788.tif 000005
【図４】
2017034788.tif 000006
【図５】
2017034788.tif 000007
【図６】
2017034788.tif 000008